(57)【特許請求の範囲】
【請求項１】
壁面及び床面に連なる間隙内に装着した耐火帯であって、壁側間隙内に装着した壁側耐火帯と床側間隙内に装着した床側耐火帯とは一体的に形成してあり、床側耐火帯は、幅方向中央付近を重ね合わせて長手方向にスライド可能なスライド部材で連結した左右の耐火帯からなる構成とした耐火帯。
【発明の詳細な説明】
【技術分野】
【０００１】
本発明は、床面及び壁面に連なる間隙内に装着した耐火帯に関する。
【背景技術】
【０００２】
隣接する建物の躯体間隙を被閉するためにエキスパンションジョイントカバーを設置し、その裏方に防火或いは遮炎の目的で耐火帯を設置することがある。
従来の耐火帯は、例えば、一端を一方の躯体に固定し、他端を他方の躯体に固定し、耐火帯の幅を間隙幅よりも幅広にして間隙内に大きく弛ませ、躯体の変動を吸収できるようにしていた。このような耐火帯は、間隙の幅が狭まる或いは広がる変動に対しては対応できるが、躯体が長手方向にずれる変動に対しては耐火帯がねじれる方向に力がかかるので対応しにくく、耐火帯がねじれて破損してしまうことがあった。
【０００３】
そこで、下記特許文献１には、左右に二分割し、それぞれの一端部を左右の躯体にそれぞれ固定し、他端部を所定量重なり合うように配し、間隙内に設けた耐火帯支持部材で支持するようにした耐火壁が示され、下記特許文献２には、図４に示すように、一端側に、躯体にスライド可能に掛止可能な掛止部１１を設けた耐火帯１０が示されており、躯体が長手方向にずれる変動をしても対応できるようにしてある。
【０００４】
【特許文献１】特開平１０−１８４７３号公報
【特許文献２】特開２００２−５４２５１号公報
【発明の開示】
【発明が解決しようとする課題】
【０００５】
しかし、上記特許文献１に記載の耐火壁は、左右の耐火帯を重ね合わせただけの構成としてあるため、大きな変動が起きた場合は、耐火帯が捲れ上がって空隙ができ、防火及び遮炎機能を果たさなくなるおそれがあった。
【０００６】
また、上記特許文献２に記載の耐火帯１０を、床面及び壁面に連なる間隙に装着する場合、図５に示すように、床側間隙に耐火帯１０を設置し、壁側間隙に両端を固定した耐火帯１２を設置し、床側の耐火帯１０の長手方向の一端を、耐火パテ１３などで壁側の耐火帯１２に固定することがある。このような場合、掛止部１１が長手方向にスライドしやすいように、床側の耐火帯１０の掛止部１１側は耐火パテ１３で固定しないため、躯体が長手方向にずれる変動をした場合、この固定しない箇所が捲くれ、空隙ができ、防火及び遮炎機能を果たさなくなるおそれがあった。
【０００７】
そこで、本発明の目的は、床面及び壁面に連なる間隙に装着する耐火帯において、空隙が発生しにくい耐火帯を提供するものである。
【課題を解決するための手段】
【０００８】
本発明の耐火帯は、壁面及び床面に連なる間隙内に装着した耐火帯であって、壁側間隙内に装着した壁側耐火帯と床側間隙内に装着した床側耐火帯とは一体的に形成してあり、床側耐火帯は、幅方向中央付近を重ね合わせて長手方向にスライド可能なスライド部材で連結した左右の耐火帯からなる構成を有することを特徴とする。
【０００９】
このように、床側耐火帯を左右に二分割し、幅方向中央付近を重ね合わせて長手方向にスライド可能なスライド部材で連結することにより、重ね合わせた箇所はスライド部材で連結してあるので捲れ上がることがない。さらに、スライド部材が重しになり床側耐火帯に張力が働くため、床側耐火帯が間隙内でＵ乃至Ｖ字状を維持して耐火帯が捲れにくくなり、大きな変動に対しても空隙ができるのを防止することができる。
【発明を実施するための最良の形態】
【００１０】
以下、本発明の耐火帯の好適な一実施形態を説明する。
【００１１】
本発明の一実施形態の耐火帯１は、図１又は２に示すように、床側の間隙２に設けた床側耐火帯３と、壁側の間隙４に設けた壁側耐火帯５とを備えたものである。
【００１２】
床側耐火帯３は、幅方向中間付近を所定量重ね合わせ、スライド部材６で連結した左右の耐火帯３ａ，３ｂからなり、間隙２内にＵ乃至Ｖ字状に弛ませて設けてある。
左側の耐火帯３ａは、一端側を略Ｌ型の固定部材７ａを介して間隙２の一方の間隙面２ａに固定してあり、他端側の表面側に、端部から適宜間隔をおいて長手方向に伸びるスライド凹部６ａが設けてある。
右側の耐火帯３ｂは、一端側を略Ｌ型の固定部材７ｂを介して間隙２の他方の間隙面２ｂに固定してあり、他端側の裏面側に、端部から適宜間隔をおいて長手方向に伸びるスライド凸部６ｂが設けてある。
【００１３】
スライド部材６は、図３に示すように、スライド凹部６ａとスライド凸部６ｂとからなり、スライド凹部６ａは、長手方向の伸びるリップ溝型の嵌合凹部６ｃを２つ並行に配し、ねじなどの締結部材８ａで耐火帯３ａに固定してある。スライド凸部６ｂは、並行して長手方向に伸び、先端が外向きに張出した突条部６ｄを有する嵌合凸部６ｅを２つ並行に配し、ねじなどの締結部材８ｂで耐火帯３ｂに固定してあり、嵌合凸部６ｅは、嵌合凹部６ｃに嵌合して長手方向にスライド可能としてある。なお、スライド部材６は、壁側耐火帯５側の端部から所定の間隔（図１のＸ）をおいて配し、左右の耐火帯３ａ，３ｂがずれながら長手方向にスライドできるようにしてある。
【００１４】
壁側耐火帯５は、一枚の耐火帯からなり、間隙４内にＵ字状に弛ませて設けてあり、一端側を略Ｌ型の固定部材７ｃを介して間隙４の一方の間隙面４ａに固定してあり、他端側を略Ｌ型の固定部材７ｄを介して間隙４の他方の間隙面４ｂに固定してあり、壁側耐火帯５の表面側に、床側耐火帯３の一端側を耐火パテ９などにより固定し、床側耐火帯３と一体的に形成してある。
【００１５】
以下、本発明の耐火帯１の作動を説明する。
躯体が間隙２及び間隙４の幅方向に狭まる変動した場合は、床側耐火帯３及び壁側耐火帯５は、奥方にさらに大きく弛み込むことにより変動を吸収し、広がる変動した場合は、床側耐火帯３及び壁側耐火帯５は、伸張することにより変動を吸収することができる。なお、この際、床側耐火帯３は、スライド部材６が重しとなりＵ字状乃至Ｖ字状を維持するように張力が働いているため、変動により捲れにくくなり、空隙ができにくいものである。
【００１６】
躯体が間隙２の長手方向にずれる変動をした場合は、床側耐火帯３は、スライド部材６により左右の耐火帯３ａ，３ｂが長手方向にずれる動きをして変動を吸収し、壁側耐火帯５は、弛みにより両端部がずれる動きをして変動を吸収することができる。なお、この際も、床側耐火帯３は、スライド部材６が重しとなりＵ字状乃至Ｖ字状を維持するように張力が働いているため、変動により捲れにくくなり、空隙ができにくいものである。
【００１７】
このように本発明の耐火帯は、躯体の変動を吸収できるとともに、捲れにくくいため空隙ができにくく、耐火機能を確実に果たすことができるものである。
【００１８】
なお、図１〜３は、本発明の耐火帯を説明しやすくするために、間隙２及び間隙４を被覆するエキスパンションジョイントカバーを省略して記載してある。
【図面の簡単な説明】
【００１９】
【図１】本発明の一実施形態の耐火帯を間隙に装着した状態を示した図である。
【図２】図１の床側耐火帯の横断面図である。
【図３】図１の床側耐火帯の構成部品であるスライド部材を示した側面図であり、（Ａ）はスライド凸部、（Ｂ）はスライド凹部を示した図である。
【図４】従来の耐火帯の一例を示した横断面図である。
【図５】従来の壁側耐火帯と床側耐火帯との連結部分を示した斜視図である。
【符号の説明】
【００２０】
１耐火帯  ２間隙  ３床側耐火帯  ４間隙  ５壁側耐火帯  ６スライド部材
【図１】
0005117923.tif 000002
【図２】
0005117923.tif 000003
【図３】
0005117923.tif 000004
【図４】
0005117923.tif 000005
【図５】
0005117923.tif 000006